(57)【要約】【課題】原稿搬送時に重送が発生した場合でも、重送された原稿が読み取り原稿の読取面を遮らない場合には原稿の読み取りを継続することによって、読み取り効率の向上を図る。【解決手段】原稿を搬送する原稿搬送手段であるピックアップローラＲ１と、このピックアップローラＲ１によってピックアップされ搬送された原稿の画像を読み取る原稿読取手段である光源ユニット６とを備えた原稿読取装置において、ピックアップローラＲ１で第１の原稿（読取原稿）Ｐ１を搬送時に他の原稿（重送原稿）Ｐ２も搬送された重送状態が発生した場合であって、重送原稿Ｐ２が読取原稿Ｐ１と光源ユニット６との間に位置しない場合（すなわち、読取原稿Ｐ１の読取面Ｐａを遮らない場合）には、光源ユニット６を含む原稿読取手段によって読取原稿Ｐ１の読取面Ｐａの読み取り動作を継続する。【選択図】  図９
2005020592.tif 000002
【特許請求の範囲】
【請求項１】
用紙を搬送する用紙搬送手段と、この用紙搬送手段で搬送された用紙に対して画像読取処理を行う画像処理手段とを備えた画像処理装置において、
前記用紙搬送手段で第１の用紙を搬送時に他の用紙も搬送された場合であって、前記他の用紙が前記第１の用紙と前記画像処理手段の作用部との間に位置しない場合には前記画像処理手段の作用部を作動させることを特徴とする画像処理装置。
【請求項２】
原稿を搬送する原稿搬送手段と、この原稿搬送手段で搬送された原稿の画像を読み取る原稿読取手段とを備えた原稿読取装置において、
前記原稿搬送手段で第１の原稿を搬送時に他の原稿も搬送された場合であって、前記他の原稿が前記第１の原稿と前記原稿読取手段の読取部との間に位置しない場合には、前記原稿読取手段による前記第１の原稿の画像の読み取り動作を継続することを特徴とする原稿読取装置。
【請求項３】
前記原稿搬送手段は、原稿面を上にして原稿載置台に載置された複数枚の原稿を上方から給紙して搬送する構造、または原稿面を下にして原稿載置台に載置された複数枚の原稿を下方から給紙して搬送する構造であることを特徴とする請求項２に記載の原稿読取装置。
【請求項４】
原稿を搬送する原稿搬送手段と、この原稿搬送手段で搬送された原稿の画像を読み取る原稿読取手段とを備えた原稿読取装置において、
前記原稿搬送手段で第１の原稿を搬送時に他の原稿も搬送された場合であって、前記他の原稿が前記第１の原稿と前記原稿読取手段の読取部との間に位置する場合には、前記原稿読取手段による前記第１の原稿の画像の読み取り動作を停止することを特徴とする原稿読取装置。
【請求項５】
原稿を搬送する原稿搬送手段と、この原稿搬送手段で搬送された原稿の画像を読み取る原稿読取手段とを備えた原稿読取装置において、
前記原稿搬送手段で第１の原稿を搬送時に他の原稿も搬送された場合であって、前記他の原稿が前記第１の原稿と前記原稿読取手段の読取部との間に位置する場合には、前記原稿読取手段により前記他の原稿の画像の読み取り動作を継続することを特徴とする原稿読取装置。
【請求項６】
前記原稿搬送手段は、原稿面を上にして原稿載置台に載置された複数枚の原稿を下方から給紙して搬送する構造、または原稿面を下にして原稿載置台に載置された複数枚の原稿を上方から給紙して搬送する構造であることを特徴とする請求項４または請求項５に記載の原稿読取装置。
【請求項７】
前記原稿読取手段は、前記第１の原稿の読み取り時に前記他の原稿の先端部を検出することを特徴とする請求項４または請求項５に記載の原稿読取装置。
【請求項８】
前記原稿読取手段は、前記第１の原稿の読み取り中に前記他の原稿の先端部を検出した場合には、前記第１の原稿の読み取り動作を中止するとともに、読み取った画像を消去することを特徴とする請求項５に記載の原稿読取装置。
【請求項９】
重送により記原稿の読み取り動作が行えなかった場合には、その旨を報知する報知手段を備えたことを特徴とする請求項２、請求項４または請求項５に記載の原稿読取装置。
【請求項１０】
前記報知手段は、重送により読み取りが行われなかった原稿の情報を報知することを特徴とする請求項９に記載の原稿読取装置。
【請求項１１】
前記請求項１に記載の画像読取装置、または前記請求項２ないし請求項９のいずれかに記載の原稿読取装置がスキャナ装置、複写装置、ファクシミリ装置、またはこれら装置の何れかを組み合わせた複合機に搭載されていることを特徴とする電子機器。
【請求項１２】
原稿搬送手段にて原稿を搬送するステップと、
搬送された原稿の画像を原稿読取手段にて読み取るステップと、
前記原稿搬送手段で第１の原稿を搬送時に他の原稿の重送を検出するステップと、
重送を検出した場合であっても、前記他の原稿が前記第１の原稿と前記原稿読取手段の読取部との間に位置しない場合には、前記原稿読取手段による前記第１の原稿の画像の読み取り動作を継続するステップとを含むことを特徴とする原稿読取方法。
【請求項１３】
原稿搬送手段にて原稿を搬送するステップと、
搬送された原稿の画像を原稿読取手段にて読み取るステップと、
前記原稿搬送手段で第１の原稿を搬送時に他の原稿の重送を検出するステップと、
重送を検出した場合であって、前記他の原稿が前記第１の原稿と前記原稿読取手段の読取部との間に位置する場合には、前記原稿読取手段により前記他の原稿の画像の読み取り動作を継続するステップとを含むことを特徴とする原稿読取方法。
【発明の詳細な説明】
【０００１】
【発明の属する技術分野】
本発明は、原稿等の用紙が２枚以上重なった状態で送られてくる重送を検出する機能を備えた画像処理装置、原稿読取装置、電子機器及び原稿読取方法に関する。
【０００２】
【従来の技術】
スキャナ装置、複写装置、ファクシミリ装置、またはこれら装置の何れかを組み合わせた複合機などには、原稿を読み取るための原稿読取装置が搭載されている。
【０００３】
この原稿読取装置は、原稿載置台に載置された複数枚の原稿から１枚ずつ原稿を給紙する際、重なり合った原稿同士の摩擦等によって２枚以上の原稿が重なり合ったまま給紙される重送を検出し、防止するための機構を備えているのが一般的である。
【０００４】
このような重送の検出及び防止機構を備えた原稿読取装置として、例えば原稿給紙時に重送が発生した場合でも、原稿の搬送を停止することなく読み取りを継続し、排出時に他の原稿と仕分けすることで原稿の読取効率を向上させた装置が提案されている（例えば、特許文献１参照）。
また、原稿の給紙時に原稿の重送を検出すると、原稿を逆搬送して原稿の給紙台に戻し、再搬送することにより、重送を防止する装置も開示されている（例えば、特許文献２参照）。
【０００５】
【特許文献１】
特開２０００−１６５５９４号公報
【特許文献２】
特開平６−２１９６００号公報
【０００６】
【発明が解決しようとする課題】
上記特許文献１の装置では、重送が発生した場合であっても原稿の読み取りは行うため、例えば重送された原稿が元々の読み取り原稿の上に重なっていた場合には、２枚の原稿にわたって一連に画像を読み取ることになる。そのため、正しい原稿画像が読み取れず、重なり合った２枚の原稿の両方が読み取り不良となってしまうといった問題があった。つまり、再度の読み取りでは、この２枚の原稿の両方を読み取る必要があるため、原稿の読み取り効率が必ずしも良いとは限らないといった問題があった。また、最初の読み取りによって画像成形された記録紙も無駄になってしまうといった問題もあった。
【０００７】
また、上記特許文献２の装置では、原稿の給紙時に原稿の重送を検出すると、原稿を逆搬送して原稿の給紙台に戻し、再搬送する構成としているが、重送の状態によっては逆搬送しても重送原稿が給紙台に正しく戻るとは限らず、再搬送しても再び重送になる可能性もある。つまり、重送を確実に解消し得るとは限らないといった問題があった。
【０００８】
本発明は係る問題点を解決すべく創案されたもので、その目的は、原稿搬送時に重送が発生した場合でも、重送された原稿が読み取り原稿の読取面を遮らない場合には原稿の読み取りを継続することによって、読み取り効率の向上を図るとともに、読み取られた画像を印刷する記録紙の無駄も防止した画像処理装置、原稿読取装置、電子機器及び原稿読取方法を提供することにある。また、他の目的は、重送された原稿が読み取り原稿の読取面を覆う場合でも、重送された原稿の読み取りを行うことで、読み取り効率の向上を図るとともに、読み取られた画像を印刷する記録紙の無駄も防止した画像処理装置、原稿読取装置、電子機器及び原稿読取方法を提供することにある。
【０００９】
【課題を解決するための手段】
本発明の画像処理装置は、用紙を搬送する用紙搬送手段と、この用紙搬送手段で搬送された用紙に対して画像読取処理を行う画像処理手段とを備えた画像処理装置において、前記用紙搬送手段で第１の用紙を搬送時に他の用紙も搬送された場合であって、前記他の用紙が前記第１の用紙と前記画像処理手段の作用部との間に位置しない場合には前記画像処理手段の作用部を作動させることを特徴とする。
【００１０】
また、本発明の原稿読取装置は、原稿を搬送する原稿搬送手段と、この原稿搬送手段で搬送された原稿の画像を読み取る原稿読取手段とを備えた原稿読取装置において、前記原稿搬送手段で第１の原稿を搬送時に他の原稿も搬送された場合であって、前記他の原稿が前記第１の原稿と前記原稿読取手段の読取部との間に位置しない場合には、前記原稿読取手段による前記第１の原稿の画像の読み取り動作を継続することを特徴とする。
【００１１】
ここで、他の原稿が第１の原稿と原稿読取手段の読取部との間に位置しない場合とは、原稿搬送手段が、原稿面を上にして原稿載置台に載置された複数枚の原稿を上方から給紙して搬送する構造、または原稿面を下にして原稿載置台に載置された複数枚の原稿を下方から給紙して搬送する構造である場合をいう。
【００１２】
このような特徴を有する本発明によれば、用紙である原稿が重送した場合であっても装置の動作を停止させないので、原稿の読み取り効率を向上させることができる。また、読取部に滞留した原稿を取り除かせたり、読み取り原稿の順位を整列させるなどの無駄な作業を操作者にさせることもない。
【００１３】
また、本発明の原稿読取装置は、原稿を搬送する原稿搬送手段と、この原稿搬送手段で搬送された原稿の画像を読み取る原稿読取手段とを備えた原稿読取装置において、前記原稿搬送手段で第１の原稿を搬送時に他の原稿も搬送された場合であって、前記他の原稿が前記第１の原稿と前記原稿読取手段の読取部との間に位置する場合には前記原稿読取手段による前記第１の原稿の画像の読み取り動作を停止することを特徴とする。
【００１４】
このような特徴を有する本発明によれば、他の原稿が第１の原稿と原稿読取手段の読取部との間に位置する場合には、第１の原稿を読み取っても他の原稿に遮られるため、本来読み取るべき原稿の全ての画像が読み取れず、不良として処理することになるが、読み取り動作を停止することで、このような作業の無駄を抑制することができる。
【００１５】
また、本発明の原稿読取装置は、原稿を搬送する原稿搬送手段と、この原稿搬送手段で搬送された原稿の画像を読み取る原稿読取手段とを備えた原稿読取装置において、前記原稿搬送手段で第１の原稿を搬送時に他の原稿も搬送された場合であって、前記他の原稿が前記第１の原稿と前記原稿読取手段の読取部との間に位置する場合には、前記原稿読取手段により前記他の原稿の画像の読み取り動作を継続することを特徴とする。
【００１６】
ここで、他の原稿が第１の原稿と原稿読取手段の読取部との間に位置する場合とは、原稿搬送手段が、原稿面を上にして原稿載置台に載置された複数枚の原稿を下方から給紙して搬送する構造、または原稿面を下にして原稿載置台に載置された複数枚の原稿を上方から給紙して搬送する構造である場合を言う。
【００１７】
このような特徴を有する本発明によれば、他の原稿が第１の原稿と原稿読取手段の読取部との間に位置する場合に読み取り動作を停止したのでは、本来読み取るべき原稿と他の原稿の双方を読み直す必要があるが、重送した場合に重送側の他の原稿を読み取ることで、読み直す原稿は本来読み取るべき原稿１枚だけとなる。これにより、全体として読み取り効率を向上させることができる。
【００１８】
また、本発明の原稿読取装置によれば、前記原稿読取手段は、前記第１の原稿の読み取り時に前記他の原稿の先端部を検出することで重送を検出することを特徴とする。このように、原稿読取手段によって重送検出を兼用することで、重送検知手段を別途設ける場合に比べて部品点数が削減され、装置の低価格化、小型化が可能となる。
【００１９】
また、本発明の原稿読取装置によれば、前記原稿読取手段は、前記第１の原稿の読み取り中に前記他の原稿の先端部を検出した場合には、前記第１の原稿の読み取り動作を中止するとともに、読み取った画像を消去することを特徴とする。すなわち、他の原稿を読み取る場合に、本来読み取るべき第１の原稿の読み取り画像データを消去することで、他の原稿の画像と第１の原稿の画像とが混在しないので、原稿読み取り後の編集作業が不要となる。
【００２０】
また、本発明の原稿読取装置によれば、重送により原稿の読み取り動作が行えなかった場合には、その旨を報知する報知手段を備えたことを特徴とする。このように、重送により読み取りが行えなかった原稿があることを操作者に報知することにより、読み取れなかった原稿の再読み取りを指示することができるとともに、操作者の不安感も解消することができる。
【００２１】
また、本発明の原稿読取装置によれば、前記報知手段は、重送により読み取りが行われなかった原稿の情報を報知することを特徴とする。このように、重送により読み取りが行えなかった原稿の情報（例えば、何頁目等）を操作者に報知することにより、操作者に読み取れなかった原稿の再読み取りを明確に指示することができる。
【００２２】
また、本発明の原稿読取方法は、原稿搬送手段にて原稿を搬送するステップと、搬送された原稿の画像を原稿読取手段にて読み取るステップと、前記原稿搬送手段で第１の原稿を搬送時に他の原稿の重送を検出するステップと、重送を検出した場合であっても、前記他の原稿が前記第１の原稿と前記原稿読取手段の読取部との間に位置しない場合には、前記原稿読取手段による前記第１の原稿の画像の読み取り動作を継続するステップとを含むことを特徴とする。
【００２３】
このような特徴を有する本発明によれば、用紙である原稿が重送した場合であっても装置の動作を停止させないので、原稿の読み取り効率を向上させることができる。また、読取部に滞留した原稿を取り除かせたり、読み取り原稿の順位を整列させるなどの無駄な作業を操作者にさせることもない。
【００２４】
また、本発明の原稿読取方法は、原稿搬送手段にて原稿を搬送するステップと、搬送された原稿の画像を原稿読取手段にて読み取るステップと、前記原稿搬送手段で第１の原稿を搬送時に他の原稿の重送を検出するステップと、重送を検出した場合であって、前記他の原稿が前記第１の原稿と前記原稿読取手段の読取部との間に位置する場合には、前記原稿読取手段により前記他の原稿の画像の読み取り動作を継続するステップとを含むことを特徴とする。
【００２５】
このような特徴を有する本発明によれば、他の原稿が第１の原稿と原稿読取手段の読取部との間に位置する場合に読み取り動作を停止したのでは、本来読み取るべき原稿と他の原稿の双方を読み直す必要があるが、重送した場合に重送側の他の原稿を読み取ることで、読み直す原稿は本来読み取るべき原稿１枚だけとなる。これにより、全体として読み取り効率を向上させることができる。
【００２６】
【発明の実施の形態】
以下、本発明の実施の形態について、図面を参照して説明する。
【００２７】
図１は、本実施形態の画像処理装置である原稿読取装置を上から見た図である。
【００２８】
原稿読取装置には、原稿を順次搬送するピックアップローラＲ１、原稿の横方向を規制する原稿規制板３１、原稿の搬送確認や長手方向の原稿サイズを検出する原稿入紙センサ２６などが設けられ、原稿規制板３１と原稿入紙センサ２６により規定紙の記録紙が判別される。
【００２９】
図２ないし図５は、各種タイプの原稿読取装置の概略断面図であり、図２示す原稿読取装置は、搬送路が“Ｕ”字状タイプであって、原稿面を上にして原稿載置台に載置された複数枚の原稿を上方から給紙する上取り方式のもの、図３示す原稿読取装置は、搬送路が“Ｕ”字状タイプであって、原稿面を上にして原稿載置台に載置された複数枚の原稿を下方から給紙する下取り方式のもの、図４に示す原稿読取装置は、搬送路がストレートタイプであって、原稿面を下にして原稿載置台に載置された複数枚の原稿を上方から給紙する上取り方式のもの、図５示す原稿読取装置は、搬送路がストレートタイプであって、原稿面を下にして原稿載置台に載置された複数枚の原稿を下方から給紙する下取り方式のものをそれぞれ示している。
【００３０】
ここで、図２に示す“Ｕ”字状タイプ上取り方式の原稿読取装置について、図６ないし図８を参照してさらに詳しく説明する。ただし、図６は断面図、図７は片面原稿の読み取り動作を示すフローチャート、図８は両面原稿の読み取り動作を示すフローチャートである。
【００３１】
この原稿読取装置は、原稿台２に載置された原稿を、静止した状態で読み取ることができるとともに、もう１つの原稿台３上を、原稿を搬送しつつ読み取ることができるようになっている。その読み取りのために、原稿台２，３の下方には、光源４及びミラー５からなる光源ユニット６と、ミラー７，８から成るミラーユニット９と、結像レンズ１０と、ＣＣＤ読取りユニット１１とが設けられている。
【００３２】
原稿台２を使用した静止読み取り時には、この原稿台２の下方を、ミラーユニット９が速度Ｖで走査するとともに、ミラーユニット９が速度Ｖ／２で走査することで、ＣＣＤ読取りユニット１１までの光路長を一定に保持しつつ、原稿全面の画像が読み取られる。また、原稿台３を使用した移動読み取り時には、この原稿台３の下方にミラーユニット１０９が停止され、後述するように原稿が搬送されることで原稿全面の画像が読み取られる。また、原稿台２に対向して、原稿カバー１２の裏面に設けられた原稿押え板１３が配置され、原稿台３に対向して、バイアスばね１４で原稿台３側に付勢された原稿押え板１５が配置されている。
【００３３】
この原稿読取装置におけるシート搬送機構は、大別すると、相対的に上方に配置される原稿収容トレイ２１と、この原稿収容トレイ２１の下方に配置される原稿排出トレイ２２と、これらの間を接続する湾曲搬送路２３とを備えて構成されている。
【００３４】
原稿収容トレイ２１に載置された原稿Ｐは、ピックアップローラＲ１によって取り出され、サバキローラＲ２及びサバキ板１６によって１枚ずつに分離され、湾曲搬送路２３を形成する主搬送路２４に搬送される。搬送された原稿は、原稿入紙センサ（用紙長さ検出センサ）２６で原稿の搬送が確認された後、斜行による原稿の先端を揃えるとともに、規定の画像読み取りタイミングで原稿を送出するタイミングローラ（ＰＳローラ）となる駆動ローラＲ３及びこれに対を成す従動ローラＲ４を介して、原稿台３の原稿読取部へと搬送され、原稿画像の読み取りが行われる。
【００３５】
読み取りの終了した原稿は、一対の搬送ローラＲ５，Ｒ６によって読取り部から引き出され、排出路２７を介して、可逆回転可能な一対の排出ローラＲ７，Ｒ８によって原稿排出トレイ２２上に排出される。
【００３６】
また、この原稿読取り装置１では、原稿収容トレイ２１と原稿排出トレイ２２との間に中間トレイ２８が設けられるとともに、排出ローラＲ７，Ｒ８に臨んで揺動板２９が設けられており、図６において実線で示すように揺動板２９が上方に跳ね上がっていると（ホームポジション１）、排出ローラＲ７，Ｒ８から排出された原稿は原稿排出トレイ２２上に排出され、破線で示すように揺動板２９が下方に傾斜していると（ホームポジション２）、排出ローラＲ７，Ｒ８から排出された原稿は揺動板２９ですくい上げられて中間トレイ２８上に排出される。
【００３７】
中間トレイ２８及び揺動板２９は、原稿の表裏両面の読み取りを可能にするために設けられるものであり、排出路２７を搬送され、排出ローラＲ７，Ｒ８から排出された原稿は、この中間トレイ２８上に排出されてゆき、その後端が排出ローラＲ７，Ｒ８で挟持された状態で一旦停止する。その後、排出ローラＲ７，Ｒ８が反転することで、原稿は副搬送路２５に進入し、この副搬送路２５から湾曲搬送路２３に合流する。このようにして、先ず原稿収容トレイ２１に載置された原稿Ｐの上面の画像が読み取られ、続いて排出路２７、排出ローラＲ７，Ｒ８、揺動板２９、中間トレイ２８及び副搬送路２５によってスイッチバック搬送されることで、裏面の画像が読み取られる。
【００３８】
−原稿読取装置の読み取り動作の説明−
図７は、上記のように構成された原稿読取装置における片面原稿の読み取り動作を示すフローチャートである。以下、このフローチャートを参照して片面原稿の読み取り動作を説明する。
【００３９】
先ず、片面読み取り処理が選択されると、原稿排紙部の中間トレイ２８の揺動板２９がホームポジション１にあるか否かの判定を行う（ステップＳ５０１）。このとき、ホームポジション１は、上記したように図６において実線で示す位置であり、読み取り後の原稿を原稿排紙トレイ２２に導くための位置である。
【００４０】
ステップＳ５０１での判定の結果、中間トレイ２８の揺動板２９がホームポジション１にないときは、揺動板２９をホームポジション１に移動する（ステップＳ５０９）。
【００４１】
このようにして揺動板２９の位置を決定した後、原稿給紙用のピックアップローラＲ１によって原稿は搬送され（ステップＳ５０２）、上記したように駆動ローラＲ３で一旦停止し（ステップＳ５０３）、原稿読み取りタイミングに合わせて再搬送される（ステップＳ５０４）。
【００４２】
搬送された原稿は、原稿読取部において読み取られる（ステップＳ５０５）。このとき、読み取られた原稿を制御部におけるメモリに入力するか否かの判定を行う（ステップＳ５０６）。この判定は、印字枚数を設定した際のシングル印字かマルチ印字かの枚数設定によって決定される。ステップＳ５０６においてメモリ入力が行われるときはマルチ印字を示し、メモリ入力を行わず、読み取った原稿の画像情報を制御部において画像処理した後に、直接、画像形成部のレーザ発光部に送信するときはシングル印字を示す。そして、シングル印字の場合（ステップＳ５０６でＮｏと判断された場合）には、読み取った原稿情報を画像処理し、レーザ発光部に送信する（ステップＳ５１０）。
【００４３】
このように画像処理が行われている間に、原稿は搬送ローラＲ５，Ｒ６を介して原稿排紙方向に回転している排紙ローラＲ７，Ｒ８に搬送され、揺動板２９がホームポジション１にあることから、原稿排紙トレイ２２上に排出される（ステップＳ５０７）。
【００４４】
このような原稿搬送機構及び原稿読取部の動作によって、片面原稿の読み取りが行われる。このような片面読み取りが行われる原稿は、原稿画像が片面にしかないときと、両面にあってもユーザの読み取り要求が片面だけの指定であるときとの両方であることは、言うまでもない。
【００４５】
図８は、原稿読取装置における両面原稿の読み取り動作を示すフローチャートである。以下、このフローチャートを参照して両面原稿の読み取り動作を説明する。
【００４６】
先ず、両面読み取り処理が選択されると、両面原稿は原稿給紙用ピックアップローラＲ１によって搬送され（ステップＳ６０１）、上記したように駆動ローラＲ３で一旦停止する（ステップＳ６０２）。次に、原稿排紙部の中間トレイ２８の揺動板２９がホームポジション２にあるか否かの判定を行う（ステップＳ６０３）。このとき、ホームポジション２は、図６において破線で示す位置であり、読み取り後の原稿を中間トレイ２８に導くための位置である。
【００４７】
ステップＳ６０３での判定の結果、揺動板２９がホームポジション２にないときは、揺動板２９をホームポジション２に移動する（ステップＳ６２４）。
【００４８】
このようにして中間トレイ２８の揺動板２９の位置が決定した後、原稿は原稿読み取りタイミングに合わせて再搬送される（ステップＳ６０４）。
【００４９】
搬送された原稿は、原稿読取部において原稿の表面側の画像情報が読み取られる（ステップＳ６０５）。このとき、読み取られた表面側の画像情報は、制御部におけるメモリに入力される（ステップＳ６０６）。この場合、メモリされる表面側の画像情報は、画像処理された状態である。
【００５０】
このように画像処理及びメモリされる間に、原稿は搬送ローラＲ５，Ｒ６を介して原稿排紙方向に回転している排紙ローラＲ７，Ｒ８に搬送され、揺動板２９がホームポジション２にあることから、中間トレイ２８に導かれる（ステップＳ６０７）。中間トレイ２８に導かれた原稿は、原稿搬送方向の後端を排紙ローラＲ７，Ｒ８に挟まれた状態で一旦停止する（ステップＳ６０８）。
【００５１】
以上が表面側の読み取り用搬送工程である。
【００５２】
その後、排紙ローラＲ７，Ｒ８がステップＳ６０７における回転方向とは逆の回転を行うことによって、原稿は副搬送路２５を介して搬送される（ステップＳ６０９）。搬送された原稿は、駆動ローラＲ３で一旦停止し（ステップＳ６１０）、原稿読み取りタイミングに合わせて再搬送される（ステップＳ６１１）。
【００５３】
搬送された原稿は、原稿読取部において、裏面側の画像情報が読み取られる（ステップＳ６１２）。このとき、読み取られた裏面の画像情報は、制御部において画像処理した後に画像形成部のレーザ発光部に送信される（ステップＳ６１３）。
【００５４】
このように画像処理及び送信が行われている間に、原稿は搬送ローラＲ５，Ｒ６を介して再び原稿排紙方向に回転している排紙ローラＲ７，Ｒ８に搬送され、揺動板２９がホームポジション２にあることから、中間トレイ２８に導かれる（ステップＳ６１４）。中間トレイ２８に導かれた原稿は、原稿搬送方向の後端を排紙ローラＲ７，Ｒ８に挟まれた状態で一旦停止する（ステップＳ６１５）。
【００５５】
以上が裏面の読み取り搬送工程である。
【００５６】
この後、一旦停止した原稿は、排紙ローラＲ７，Ｒ８がステップＳ６１４における回転方向とは逆の回転を行うことによって、副搬送路２５を介して搬送される（ステップＳ６１６）。このようにして搬送された原稿は、原稿入紙センサ１２６によって、通過原稿の後端がこの原稿入紙センサ２６を通過したか否かの判定が行われる（ステップＳ６１７）。このとき、原稿後端が通過し、さらに次原稿がある場合（ステップＳ６１８でＹｅｓと判断される場合）には、次原稿は原稿給紙用ピックアップローラＲ１によって搬送され（ステップＳ６１９）、駆動ローラＲ３で一旦停止した状態で（ステップＳ６２０）、読み取りタイミングが来るまで待機する。このように、次原稿の搬送中においても、表裏を読み取られた後の原稿は、搬送路を搬送される。
【００５７】
このように搬送される原稿が入紙センサ２６を通過すると、揺動板２９がホームポジション１にあるか否かの判定を行う（ステップＳ６２１）。このとき、揺動板２９はステップＳ６０３においてホームポジション２に配置された状態であるため、ホームポジション１に移動する（ステップＳ６２５）。
【００５８】
このようにして揺動板２９の位置が決定される。この間においても原稿は搬送され、搬送ローラＲ５，Ｒ６を介して排紙ローラＲ７，Ｒ８に搬送され、原稿排紙用回転と揺動板２９の位置とによって、原稿排紙トレイ２２上に排出される（ステップＳ６２３）。この場合、上記したように駆動ローラＲ３で一旦待機している次原稿は、読み取りが終了している通過原稿が原稿読取部を通過したことを確認すると（ステップＳ６２２）、再度搬送され、この次原稿の読み取りが実行される。
【００５９】
以上が原稿の空搬送工程である。
【００６０】
以上のような原稿搬送動作及び原稿読取部の動作によって、両面原稿の読み取りが行われる。
【００６１】
このように、両面原稿の読み取りには、「表面原稿読み取り搬送」、「裏面原稿読み取り搬送」、及び「原稿の空搬送」の３工程の搬送がある。このような搬送を行う理由は、「表面原稿読み取り搬送」及び「裏面原稿読み取り搬送」の搬送は当然必要であるが、「裏面原稿読み取り搬送」工程を終了した後に揺動板２９の位置を移動させて原稿排紙トレイ２２に原稿を排紙すると、複数枚の原稿を処理したときに原稿の表裏順番が合わず、頁揃えが出来ない状態となる。このような不都合を解消するために、「原稿の空搬送」の工程が必要となる。
【００６２】
なお、図３に示した“Ｕ”字状タイプ下取り方式の原稿読取装置による原稿読み取り動作も、上記で説明した“Ｕ”字状タイプ上取り方式の原稿読取装置と同様である。また、図４及び図５に示したストレートタイプ上取り方式及びストレートタイプ下取り方式の原稿読取装置についても、原稿の搬送経路は異なるものの原稿読み取り動作（特に、片面読み取り処理）は基本的には上記で説明した“Ｕ”字状タイプ上取り方式の原稿読取装置と同じである。
【００６３】
図２及び図３に示すように、原稿を“Ｕ”字状に搬送する搬送路を備えた原稿読取装置においては、原稿を上向きに載置することにより、給紙された原稿の原稿面が原稿読取部（具体的には、原稿台３の光源ユニット６）と対向することが可能となり原稿の読み取りが行える。
【００６４】
また、図４及び図５に示すように、原稿を右から左にストレートに搬送する搬送路を備えた原稿読取装置においては、原稿を下向きに載置することにより、給紙された原稿の原稿面が原稿読取部（具体的には、原稿台３の光源ユニット６）と対向することが可能となり原稿の読み取りが行える。
【００６５】
−各原稿読取装置と重送発生時の原稿の状態の説明−
図９及び図１０は、上記図２及び図３で示した“Ｕ”字形状に原稿を搬送する原稿読取装置の搬送路の概略構造と原稿Ｐが重送した状態を示す模式図であり、“Ｕ”字形状の搬送路を備えた反転給紙の場合には、原稿収容トレイ２１に載置される原稿Ｐは上面が読取面（原稿面）Ｐａとなる。
【００６６】
図９は原稿収容トレイ２１上の原稿を上取りする場合を示している。上取り時に重送が発生した場合、重送原稿Ｐ２と今回読み取るべき原稿（以下「読取原稿」という。）Ｐ１とは、原稿読取部（光源ユニット６）を通過するとき、読取原稿Ｐ１の上に重送原稿Ｐ２が重なり合った状態となり、重送原稿Ｐ２が読取原稿Ｐ１の読取面（原稿面）Ｐａと原稿読取部（光源ユニット６）との間を遮ることがない。従って、そのまま読み取り動作を継続しても、読取原稿Ｐ１の読み取り動作には影響を与えないことが分かる。
【００６７】
一方、図１０は原稿収納トレイ２１上の原稿を下取りする場合を示している。下取り時に重送が発生した場合、重送原稿Ｐ２と読取原稿Ｐ１とは、原稿読取部（光源ユニット６）を通過するとき、重送原稿Ｐ２の上に読取原稿Ｐ１の読取面（原稿面）Ｐａが重なり合った状態となり、重送原稿Ｐ２が読取原稿Ｐ１の読取面（原稿面）Ｐａと原稿読取部（光源ユニット６）との間を遮ることになる。従って、そのまま読み取り動作を継続しても、読取原稿Ｐ１の読取面（原稿面）Ｐａを読み取ることができない。しかしながら、重送原稿Ｐ２については、重送原稿Ｐ２の読取面（原稿面）Ｐａと原稿読取部（光源ユニット６）との間を遮るものが無いので、重送原稿Ｐ２の読み取り動作が可能であることが分かる。
【００６８】
図１１及び図１２は、上記図４及び図５で示したストレートに原稿を搬送する原稿読取装置の搬送路の概略構造と原稿Ｐが重送した状態を示す模式図であり、ストレートパスの搬送路を備えた原稿読取装置の場合には、原稿収容トレイ２１に載置される原稿Ｐは下面が読取面（原稿面）となる。
【００６９】
図１１は、原稿収容トレイ２１上の原稿を上取りする場合を示している。上取り時に重送が発生した場合、重送原稿Ｐ２と読取原稿Ｐ１とは、原稿読取部（光源ユニット６）を通過するとき、重送原稿Ｐ２の上に読取原稿Ｐ１の読取面（原稿面）Ｐａが重なり合った状態となり、重送原稿Ｐ２が読取原稿Ｐ１の読取面（原稿面）Ｐａと原稿読取部（光源ユニット６）との間を遮ることになる。従って、そのまま読み取り動作を継続しても、読取原稿Ｐ１の読取面（原稿面）Ｐａを読み取ることができない。しかしながら、重送原稿Ｐ２については、重送原稿Ｐ２の読取面（原稿面）Ｐａと原稿読取部（光源ユニット６）との間を遮るものが無いので、重送原稿Ｐ２の読み取り動作が可能であることが分かる。
【００７０】
図１２は、原稿収容トレイ２１上の原稿を下取りする場合を示している。下取り時に重送が発生した場合、重送原稿Ｐ２と読取原稿Ｐ１とは、読取原稿Ｐ１の上に重送原稿Ｐ２が重なり合った状態となり、重送原稿Ｐ２が読取原稿Ｐ１の読取面（原稿面）Ｐａと原稿読取部（光源ユニット６）との間を遮ることがない。従って、そのまま読み取り動作を継続しても、読取原稿Ｐ１の読み取り動作には影響を与えないことが分かる。
【００７１】
以上説明した各原稿読取装置による重送発生時の原稿の状態を踏まえ、次に各原稿読取装置による重送発生時の原稿読み取り動作の各種実施例について説明する。
【００７２】
−重送発生時の原稿読み取り動作の説明−
＜実施例１＞
本実施例１は、図２及び図９に示す“Ｕ”字状タイプ上取り方式の原稿読取装置による重送発生時の原稿読み取り動作の実施例である。
【００７３】
すなわち、“Ｕ”字状タイプの搬送路を備えた上取り方式の原稿読取装置では、重送を検出しても、図９に示すように、重送原稿Ｐ２が読取原稿Ｐ１と原稿台３の読取部（光源ユニット６）との間に位置しないので、この場合には通常通り、読取原稿Ｐ１の画像の読み取り動作を継続する。この場合、重送原稿Ｐ２は画像の読み取りが行えず、読み取り不良として処理することになる。
【００７４】
ここで、重送検出について説明する。
【００７５】
本実施形態では、重送検出のための新たな検出部を設けず、原稿読取部（光源ユニット６等）を重送検出部として兼用している。この場合、原稿の読み取り時（読み取り中）に、重送部分の原稿の端部の陰影等を検出することで重送を検出している。なお、本発明者らは、実験の結果、原稿読取部を重送検出部として兼用しても、原稿の重送を確実に検出できることを実験等により確認している。
【００７６】
本実施例１では、図９に示すように、読取原稿Ｐ１の後端部Ｐ１２を検出することで、重送を検出することになる。
【００７７】
＜実施例２＞
本実施例２は、図３及び図１０に示す“Ｕ”字状タイプ下取り方式の原稿読取装置による重送発生時の原稿読み取り動作の実施例である。
【００７８】
すなわち、“Ｕ”字状タイプの搬送路を備えた下取り方式の原稿読取装置では、重送を検出した場合、重送原稿Ｐ２と読取原稿Ｐ１とは、図１０に示すように、読取部（光源ユニット６）を通過するとき、重送原稿Ｐ２の上に読取原稿Ｐ１の読取面（原稿面）Ｐａが重なり合った状態となり、重送原稿Ｐ２が読取原稿Ｐ１の読取面（原稿面）Ｐａと原稿読取部（光源ユニット６）との間を遮ることになる。従って、この場合には読取原稿Ｐ１の読み取り動作を停止する。なお、本実施例２では、読取原稿Ｐ２の後端部Ｐ２１を検出することで、重送を検出することになる。
【００７９】
＜実施例３＞
本実施例３は、図３及び図１０に示す“Ｕ”字状タイプ下取り方式の原稿読取装置による重送発生時の原稿読み取り動作の他の実施例である。
【００８０】
すなわち、上記実施例２では、重送を検出した場合に読取原稿Ｐ１の読み取り動作を停止しているが、このとき重送原稿Ｐ２については、図１０に示すように、重送原稿Ｐ２の読取面（原稿面）Ｐａと原稿読取部（光源ユニット６）との間を遮るものが無いので、重送原稿Ｐ２については読み取り動作が可能である。従って、本実施例３では、本来の読取原稿Ｐ１の読み取りを飛ばして、重送原稿Ｐ２の読み取り動作を継続する。
【００８１】
この場合、読み取り開始のタイミングを重なり合っている長さ分だけ遅らせる必要があるが、図１０に示すように、重送検出は重送原稿Ｐ２の先端部Ｐ２１を検出することで行うことになるので、この検出タイミングに基づいて重送原稿Ｐ２の画像を読み取ることができる。この場合、重送を検出するまでにすでに読取原稿Ｐ１の原稿読み取りを開始していた場合には、重送を検出した時点で読み取り動作を一旦中止するとともに、読み取った画像を消去し、続けて重送原稿Ｐ２の読み取りを開始する。
【００８２】
＜実施例４＞
本実施例４は、図４及び図１１に示すストレートタイプ上取り方式の原稿読取装置による重送発生時の原稿読み取り動作の実施例である。
【００８３】
すなわち、ストレートタイプの搬送路を備えた上取り方式の原稿読取装置では、重送を検出した場合、重送原稿Ｐ２と読取原稿Ｐ１とは、図１１に示すように、読取部（光源ユニット６）を通過するとき、重送原稿Ｐ２の上に読取原稿Ｐ１の読取面（原稿面）Ｐａが重なり合った状態となり、重送原稿Ｐ２が読取原稿Ｐ１の読取面（原稿面）Ｐａと原稿読取部（光源ユニット６）との間を遮ることになる。従って、この場合には読取原稿Ｐ１の読み取り動作を停止する。なお、本実施例４では、重送原稿Ｐ２の先端部Ｐ２１を検出することで、重送を検出することになる。
【００８４】
＜実施例５＞
本実施例５は、図４及び図１１に示すストレートタイプ上取り方式の原稿読取装置による重送発生時の原稿読み取り動作の他の実施例である。
【００８５】
すなわち、上記実施例４では、重送を検出した場合に読取原稿Ｐ１の読み取り動作を停止しているが、このとき重送原稿Ｐ２については、図１１に示すように、重送原稿Ｐ２の読取面（原稿面）Ｐａと原稿読取部（光源ユニット６）との間を遮るものが無いので、重送原稿Ｐ２については読み取り動作が可能である。従って、本実施例５では、本来の読取原稿Ｐ１の読み取りを飛ばして、重送原稿Ｐ２の読み取り動作を継続する。
【００８６】
この場合、読み取り開始のタイミングを重なり合っている長さ分だけ遅らせる必要があるが、図１１に示すように、重送検出は重送原稿Ｐ２の先端部Ｐ２１を検出することで行うことになるので、の検出タイミングに基づいて重送原稿Ｐ２の画像を読み取ることができる。この場合も、重送を検出するまでにすでに読取原稿Ｐ１の原稿読み取りを開始していた場合には、重送を検出した時点で読み取り動作を一旦中止するとともに、読み取った画像を消去し、続けて重送原稿Ｐ２の読み取りを開始する。
【００８７】
＜実施例６＞
本実施例６は、図５及び図１２に示すストレートタイプ下取り方式の原稿読取装置による重送発生時の原稿読み取り動作の他の実施例である。
【００８８】
すなわち、ストレートタイプの搬送路を備えた下取り方式の原稿読取装置では、重送を検出しても、重送原稿Ｐ２が読取原稿Ｐ１と原稿台３の読取部（光源ユニット６）との間に位置しないので、この場合には通常通り、読取原稿Ｐ１の画像の読み取り動作を継続する。この場合、重送原稿Ｐ２は画像の読み取りが行えず、読み取り不良として処理することになる。なお、本実施例６では、図１２に示すように、読取原稿Ｐ１の後端部Ｐ１２を検出することで、重送を検出することになる。
【００８９】
また、上記各実施例のようにして重送を検出した場合には、重送が発生した旨を操作者に報知するようにしてもよい。報知方法としては、図１に示す原稿読取装置の操作入力部３２に設けられている表示パネル部３３に重送が発生した旨のエラーメッセージ等を表示するようにしてもよい。また、内蔵されている図示しないブザー等からブザー音を発生させたり、電子音を発生させたりして、操作者に報知することも可能である。なお、エラーメッセージの表示と報知音の両方で知らせるようにすればより効果的である。さらに、表示パネル部３３に表示する内容としては、エラーメッセージに限らず、重送により読み取りが行われなかった原稿の情報を表示するようにしてもよい。例えば、重送により読み取りが行われなかった原稿の頁を表示する。これにより、操作者は、何頁目を再読み取りしなければならないかを明確に把握することができるので、再読み取り処理の効率が向上する。
【００９０】
また、本実施形態の原稿読取装置を、スキャナ装置、複写装置、ファクシミリ装置、またはこれら装置の何れかを組み合わせた複合機に搭載することで、原稿の読み取り効率の向上を図った電子機器を提供することができる。
【００９１】
【発明の効果】
本発明の画像処理装置及び原稿読取装置によれば、原稿搬送手段で第１の原稿を搬送時に他の原稿も搬送される重送が発生した場合であっても、他の原稿が第１の原稿と原稿読取手段の読取部との間に位置しない場合には、原稿読取手段による第１の原稿の画像の読み取り動作を継続する構成としたので、原稿の読み取り効率を向上させることができる。また、読取部に滞留した原稿を取り除かせたり、読み取り原稿の順位を整列させるなどの無駄な作業を操作者にさせることもない。
【００９２】
また、本発明の原稿読取装置によれば、原稿搬送手段で第１の原稿を搬送時に他の原稿も搬送される重送が発生した場合であって、他の原稿が第１の原稿と原稿読取手段の読取部との間に位置する場合には、原稿読取手段による原稿の読み取り動作を停止する構成としている。すなわち、第１の原稿を読み取っても他の原稿に遮られるため、本来読み取るべき原稿の全てが読み取れず、不良として処理することになるが、読み取り動作を停止することで、このような作業の無駄を抑制することができる。
【００９３】
また、本発明の原稿読取装置によれば、給紙原稿が重送した場合に重送側の他の原稿を読み取ることで、読み直す原稿は本来読み取るべき原稿１枚だけとなる。これにより、全体として読み取り効率を向上させることができる。
【００９４】
また、本発明の原稿読取装置によれば、原稿読取手段によって重送検出を兼用することで、重送検知手段を別途設ける場合に比べて部品点数が削減され、装置の低価格化、小型化が可能となる。
【図面の簡単な説明】
【図１】本発明の画像処理装置である原稿読取装置を上から見た平面図である。
【図２】“Ｕ”字状タイプ上取り方式の原稿読取装置の概略断面図である。
【図３】“Ｕ”字状タイプ下取り方式の原稿読取装置の概略断面図である。
【図４】ストレートタイプ上取り方式の原稿読取装置の概略断面図である。
【図５】ストレートタイプ下取り方式の原稿読取装置の概略断面図である。
【図６】“Ｕ”字状タイプ上取り方式の原稿読取装置の断面図である。
【図７】片面原稿の読み取り動作を示すフローチャートである。
【図８】両面原稿の読み取り動作を示すフローチャートである。
【図９】図２で示した“Ｕ”字形状に原稿を搬送する原稿読取装置の搬送路の概略構造と原稿が重送した状態を示す模式図である。
【図１０】図３で示した“Ｕ”字形状に原稿を搬送する原稿読取装置の搬送路の概略構造と原稿が重送した状態を示す模式図である。
【図１１】図４で示したストレートに原稿を搬送する原稿読取装置の搬送路の概略構造と原稿が重送した状態を示す模式図である。
【図１２】図５で示したストレートに原稿を搬送する原稿読取装置の搬送路の概略構造と原稿が重送した状態を示す模式図である。
【符号の説明】
４  光源
５  ミラー
６  光源ユニット
７，８  ミラー
９  ミラーユニット
１０  結像レンズ
１１  ＣＣＤ読取りユニット
２１  原稿収容トレイ
２２  原稿排出トレイ
２３  湾曲搬送路
２４  主搬送路
２５  副搬送路
２６  原稿入紙センサ（用紙長さ検出センサ）
２７  排出路
Ｒ１  ピックアップローラ
Ｒ２  サバキローラ
Ｒ３  駆動ローラ
Ｒ４  従動ローラ
Ｒ５，Ｒ６  搬送ローラ
Ｒ７，Ｒ８  排出ローラ
Ｒ１１  呼込みローラ
Ｐ１  読取原稿
Ｐ２  重送原稿
Ｐａ  読取面
【図１】
2005020592.tif 000003
【図２】
2005020592.tif 000004
【図３】
2005020592.tif 000005
【図４】
2005020592.tif 000006
【図５】
2005020592.tif 000007
【図６】
2005020592.tif 000008
【図７】
2005020592.tif 000009
【図８】
2005020592.tif 000010
【図９】
2005020592.tif 000011
【図１０】
2005020592.tif 000012
【図１１】
2005020592.tif 000013
【図１２】
2005020592.tif 000014